(57)【要約】ミクストメディア通話フォーマッティングのための装置及び方法。通話用の好適なフォーマットは、異なるミクストメディア通信フォーマットから判断される。ミクストメディア通信フォーマットには、テキスト・フォーマット及び可聴音声フォーマットが含まれる。メディア・フォーマット・モード信号が、送信又は受信される。メディア・フォーマット・モード信号は、通話用の好適なフォーマットを示すことができる。通話は、この好適なフォーマットで接続される。
2007505564.tif 000002
【特許請求の範囲】
【請求項１】
携帯通信装置におけるミクストメディア通信フォーマットの選択方法であって、
前記携帯通信装置が、テキスト・フォーマット及び可聴音声フォーマットを含むミクストメディア通信フォーマットから着信通話用の好適なフォーマットを判断すること、
前記携帯通信装置が、前記着信通話用の前記好適なフォーマットを示すメディア・フォーマット・モード信号を送信すること、
を備える方法。
【請求項２】
請求項１に記載のミクストメディア通信フォーマットの選択方法において、前記判断することでは、前記携帯通信装置の位置条件に基づき、前記着信通話用の前記好適なフォーマットを判断する、方法。
【請求項３】
請求項２に記載のミクストメディア通信フォーマットの選択方法において、前記判断することでは、テキスト通信が音声通信より好ましいエリアに前記携帯通信装置が位置することに基づき、前記着信通話用の前記好適なフォーマットはテキスト・フォーマットであると判断する、方法。
【請求項４】
請求項２に記載のミクストメディア通信フォーマットの選択方法において、前記位置条件は、前記携帯通信装置の速度を含む、方法。
【請求項５】
請求項４に記載のミクストメディア通信フォーマットの選択方法において、前記判断することでは、音声通信がテキスト通信よりも好ましいような速度で前記通信装置が移動していることに基づき、前記着信通話用の前記好適なフォーマットは音声フォーマットであると判断する、方法。
【請求項６】
請求項２に記載のミクストメディア通信フォーマットの選択方法において、前記位置条件は、複数の携帯通信装置が同じ場所に位置することを含む、方法。
【請求項７】
請求項６に記載のミクストメディア通信フォーマットの選択方法において、前記判断することでは、指定したしきい値を超える複数の携帯通信装置が同じ場所に位置することに基づき、前記着信通話用の前記好適なフォーマットはテキスト・フォーマットであると判断する、方法。
【請求項８】
請求項２に記載のミクストメディア通信フォーマットの選択方法において、前記位置条件は信号強度を含む、方法。
【請求項９】
請求項８に記載のミクストメディア通信フォーマットの選択方法において、前記信号強度は、受信信号強度指標及び信号対雑音比のうちの少なくとも１つを含む信号強度指標によって判断される、方法。
【請求項１０】
請求項９に記載のミクストメディア通信フォーマットの選択方法において、前記判断することでは、微弱な信号強度に基づき、前記着信通話用の前記好適なフォーマットはテキスト・フォーマットであると判断する、方法。
【請求項１１】
請求項１に記載のミクストメディア通信フォーマットの選択方法であって、更に、
大きいシステム容量の示度を受信すること、
前記大きいシステム容量の前記示度を受信することに基づき、テキスト・フォーマット通信のみを受信するようにオプションとして前記携帯通信装置のユーザに入力を促すこと、
前記促すことに応答して、前記ユーザからテキスト・フォーマット選択を受信すること、
を備え、前記判断することでは、前記テキスト・フォーマット選択に基づき、前記着信通話用の前記好適なフォーマットはテキスト・フォーマットであると判断する、方法。
【請求項１２】
請求項１に記載のミクストメディア通信フォーマットの選択方法において、前記判断することでは、前記携帯通信装置の前記ユーザによって選択されたサイレント・モードに基づき、前記着信通話用の前記フォーマットはテキスト・フォーマットであると判断する、方法。
【請求項１３】
請求項１に記載のミクストメディア通信フォーマットの選択方法において、前記判断することでは、ユーザ入力のメディア・フォーマット選択データに基づき、前記着信通話用の前記好適なフォーマットを判断する、方法。
【請求項１４】
請求項１に記載のミクストメディア通信フォーマットの選択方法であって、更に、現メディア・フォーマット入力モード及び現メディア・フォーマット出力モードのうちの少なくとも１つを含む現メディア・フォーマット・モードを前記携帯通信装置に表示すること、を備える方法。
【請求項１５】
着信通話の信号を受信する際の携帯通信装置におけるミクストメディア通信フォーマットの選択方法であって、前記ミクストメディア通信フォーマットは、音声通信フォーマット及びテキスト通信フォーマットを含み、前記方法は、
前記携帯通信装置が、着信通話の信号を受信すること、
前記携帯通信装置が、前記着信通話の好適なフォーマットを判断すること、
前記携帯通信装置が、前記着信通話用の前記好適なフォーマットを示すメディア・フォーマット・モード信号を送信すること、
を備える方法。
【請求項１６】
請求項１５に記載のミクストメディア通信フォーマットの選択方法であって、更に、前記着信通話用の前記好適なフォーマットを前記携帯通信装置に記憶すること、を備える方法。
【請求項１７】
請求項１５に記載のミクストメディア通信フォーマットの選択方法であって、更に、好適な通信フォーマットのユーザ入力のメディア・フォーマット選択データを受け入れて、該メディア・フォーマット選択データを通信システムに送信すること、を備える方法。
【請求項１８】
請求項１５に記載のミクストメディア通信フォーマットの選択方法であって、更に、現メディア・フォーマット入力モード及び現メディア・フォーマット出力モードのうちの少なくとも１つを含む現メディア・フォーマット・モードを前記携帯通信装置に表示すること、を備える方法。
【請求項１９】
ミクストメディア通信フォーマット選択のためのシステムであって、
ネットワークと、
前記ネットワークに接続されたコントローラであって、通話発信者からの通話のフォーマットを判断し、通話受信者の選択条件に基づき、前記通話受信者用の通話の選択されたフォーマットを判断し、前記通話発信者からの通話の前記フォーマットが、前記通話受信者用の通話の前記選択された通話フォーマットに一致しない場合は、通話の前記フォーマットを前記選択されたフォーマットに変換し、かつ、前記選択されたフォーマットで通話を前記通話受信者に送るように構成されているコントローラと、
を備えるシステム。
【請求項２０】
請求項１９に記載のミクストメディア通信フォーマット選択のためのシステムにおいて、前記コントローラは、メディア・フォーマット折衝信号を前記通話発信者に送信して、前記選択されたフォーマットに基づき、前記通話発信者に通話の前記フォーマットを変更するように促すことによって、通話の前記フォーマットを変換する、システム。
【請求項２１】
請求項１９に記載のミクストメディア通信フォーマット選択のためのシステムにおいて、前記コントローラは、更に、特定のタイプのメディアをサポートする通話受信者通信装置機能に基づき、通話の前記フォーマットを判断するように構成されている、システム。
【請求項２２】
請求項１９に記載のミクストメディア通信フォーマット選択のためのシステムにおいて、前記コントローラは、更に、現システム容量に基づき、前記着信通話用の前記フォーマットを判断するように構成されている、システム。
【請求項２３】
請求項１９に記載のミクストメディア通信フォーマット選択のためのシステムにおいて、前記コントローラは、通話の前記フォーマットがテキスト・フォーマットであり、かつ、通話の前記選択されたフォーマットが可聴フォーマットであると前記コントローラが判断した場合は、通話に対してテキストから音声への変換を行うことによって、通話の前記フォーマットを変換する、システム。
【請求項２４】
請求項２３に記載のミクストメディア通信フォーマット選択のためのシステムにおいて、前記コントローラは、更に、前記通話発信者からの通信を待つ間、通話の前記受信者にバックグラウンド信号を送るように構成されている、システム。
【請求項２５】
請求項１９に記載のミクストメディア通信フォーマット選択のためのシステムにおいて、前記コントローラは、通話の前記フォーマットが可聴フォーマットであり、かつ、通話の前記選択されたフォーマットがテキスト・フォーマットであると前記コントローラが判断した場合は、通話に対して音声からテキストへの変換を行うことによって、通話の前記フォーマットを変換する、システム。
【請求項２６】
請求項１９に記載のミクストメディア通信フォーマット選択のためのシステムにおいて、前記コントローラは、前記受信者に対して前記通話発信者の前記通話フォーマットを受け入れるように要求することによって、前記通話受信者の選択条件に基づき、前記通話受信者用の通話の選択されたフォーマットを判断する、システム。
【請求項２７】
請求項１９に記載のミクストメディア通信フォーマット選択のためのシステムにおいて、前記コントローラは、前記発信者に対してミクストメディア通話フォーマットを受け入れるように要求することによって、前記通話受信者の選択条件に基づき、前記通話受信者用の通話の選択されたフォーマットを判断する、システム。
【請求項２８】
請求項１９に記載のミクストメディア通信フォーマット選択のためのシステムにおいて、前記コントローラは、更に、前記通話発信者からの通話の前記フォーマットが、前記通話受信者用の通話の前記選択された通話フォーマットに一致しない場合は、前記通話発信者及び前記通話受信者のうちの一方が通話を終了するように促すように構成されている、システム。
【請求項２９】
ミクストメディア通信フォーマットの選択を提供するための携帯通信装置であって、
送受信機と、
前記送受信機に接続されたプロセッサと、
を備え、前記プロセッサは、テキスト・フォーマット及び可聴音声フォーマットを含むミクストメディア通信フォーマットから着信通話用の好適なフォーマットを判断するように構成され、かつ、前記着信通話用の好適なフォーマットを示すメディア・フォーマット・モード信号を送るように構成されている、携帯通信装置。
【請求項３０】
請求項２９に記載の携帯通信装置において、前記プロセッサは、更に、前記携帯通信装置の位置条件に基づき、前記着信通話用の前記好適なフォーマットを判断するように構成されている、携帯通信装置。
【請求項３１】
請求項３０に記載の携帯通信装置において、前記プロセッサは、更に、テキスト通信が音声通信より好ましいエリアに前記通信装置が位置することに基づき、前記着信通話用の前記好適なフォーマットはテキスト・フォーマットであると判断するように構成されている、携帯通信装置。
【請求項３２】
請求項３０に記載の携帯通信装置において、前記位置条件は、前記携帯通信装置の速度を含む、携帯通信装置。
【請求項３３】
請求項３２に記載の携帯通信装置において、前記プロセッサは、更に、音声通信がテキスト通信よりも好ましいような速度で前記通信装置が移動していることに基づき、前記着信通話用の前記好適なフォーマットは音声フォーマットであると判断するように構成されている、携帯通信装置。
【請求項３４】
請求項３０に記載の携帯通信装置において、前記位置条件は、複数の携帯通信装置が同じ場所に位置することを含む、携帯通信装置。
【請求項３５】
請求項３４に記載の携帯通信装置において、前記プロセッサは、更に、指定したしきい値を超える複数の携帯通信装置が同じ場所に位置することに基づき、前記着信通話用の前記好適なフォーマットはテキスト・フォーマットであると判断するように構成されている、携帯通信装置。
【請求項３６】
請求項３０に記載の携帯通信装置において、前記位置条件は信号強度を含む、携帯通信装置。
【請求項３７】
請求項３６に記載の携帯通信装置であって、更に、前記プロセッサに接続された信号強度指標表示器を備え、
前記プロセッサは、更に、前記信号強度指標に基づき前記信号強度を判断するように構成されており、前記信号強度指標は、受信信号強度指標及び信号対雑音比のうちの少なくとも１つを含む、携帯通信装置。
【請求項３８】
請求項３７に記載の携帯通信装置において、前記プロセッサは、更に、微弱な信号強度に基づき、前記着信通話用の前記好適なフォーマットはテキスト・フォーマットであると判断するように構成されている、携帯通信装置。
【請求項３９】
請求項２９に記載の携帯通信装置において、
前記プロセッサは、更に、大きいシステム容量の示度を受信し、大きいシステム容量の前記示度の受信に基づき、テキスト・フォーマット通信のみを受信するようにオプションとして前記携帯通信装置のユーザに入力を促し、かつ、前記入力を促すことに応答して、前記ユーザからテキスト・フォーマット選択を受信するように構成されており、
前記プロセッサは、更に、前記テキスト・フォーマット選択に基づき、前記着信通話用の前記好適なフォーマットはテキスト・フォーマットであると判断するように構成されている、携帯通信装置。
【請求項４０】
請求項２９に記載の携帯通信装置において、前記プロセッサは、更に、前記携帯通信装置のユーザによって選択されたサイレント・モードに基づき、前記着信通話用の前記フォーマットはテキスト・フォーマットであると判断するように構成されている、携帯通信装置。
【発明の詳細な説明】
【技術分野】
【０００１】
本開示は、ミクストメディア通話フォーマッティングのための装置及び方法に関する。より詳細には、本開示は、異なる判定基準に依存して、電子装置において異なる通話フォーマット選択を可能にする装置及び方法に関する。
【背景技術】
【０００２】
現在、多くの通信装置が、マルチメディア機能を獲得しつつある。例えば、携帯電話は、情報管理、ウェブ・ブラウジング、ショート・メッセージ伝達等のデータ機能を有し得る。また、ページャー等の従来のデータ製品には、リアルタイムの音声及びグラフィックス機能を組み込み得る。別個の新しい機能が提供されることに加えて、異なるタイプのメディアが組み合わされると、単一のメディア・タイプだけでは利用不可能な新しい機能が提供され得る。例えば、音声及びデータは、ユーザに異なる対話方法を提供し得る。特に、現在の装置を用いると、２人以上のユーザがテキスト・チャット・セッション又は音声通話を行い得る。
【発明の開示】
【発明が解決しようとする課題】
【０００３】
残念なことに、各ユーザの環境に対して、会話の各側を最も適切なメディア・タイプに適合させる手段が存在しない。例えば、テキスト通信を用いるユーザは、音声通信を用いるユーザと通信することはできない。
【課題を解決するための手段】
【０００４】
本開示は、ミクストメディア通話フォーマッティングのための装置及び方法を提供する。一実施形態によれば、本開示は、携帯通信装置におけるミクストメディア通信フォーマットの選択方法を提供する。本方法は、携帯通信装置が、テキスト・フォーマット及び可聴音声フォーマットを含むミクストメディア通信フォーマットから着信通話用の好適なフォーマットを判断することを含む。本方法は、また、携帯通信装置が、着信通話用の好適なフォーマットを示すメディア・フォーマット・モード信号を送信することを含む。例えば、メディア・フォーマット・モード信号は、通話設定の前、通話設定時、通話中、又は通話用の好適なフォーマットを示すための任意の他の有効な時間に送信され得る。
【０００５】
他の実施形態によれば、本開示は、着信通話の信号を受信する際の携帯通信装置におけるミクストメディア通信フォーマットの選択方法を提供する。ミクストメディア通信フォーマットは、音声通信フォーマット及びテキスト通信フォーマットを含む。本方法は、携帯通信装置が、着信通話の信号を受信することを含む。本方法は、また、携帯通信装置が、着信通話の好適なフォーマットを判断することを含む。本方法は、更に、携帯通信装置が、着信通話用の好適なフォーマットを示すメディア・フォーマット・モード信号を送信することを含む。
【０００６】
他の実施形態によれば、本開示は、ミクストメディア通信フォーマット選択のためのシステムを提供する。本システムは、ネットワークと、ネットワークに接続されたコントローラとを含む。コントローラは、通話発信者からの通話のフォーマットを判断し、通話受信者の選択条件に基づき、通話受信者用の通話の選択されたフォーマットを判断し、通話発信者からの通話のフォーマットが、通話受信者用の通話の選択された通話フォーマットに一致しない場合は、通話のフォーマットを選択されたフォーマットに変換し、かつ、選択されたフォーマットで通話を通話受信者に送るように構成されている。
【０００７】
他の実施形態によれば、本開示は、ミクストメディア通信フォーマットの選択を提供するための携帯通信装置を提供する。本携帯通信装置は、送受信機と、送受信機に接続されたプロセッサとを含む。プロセッサは、テキスト・フォーマット及び可聴音声フォーマットを含むミクストメディア通信フォーマットから着信通話用の好適なフォーマットを判断し、かつ、着信通話用の好適なフォーマットを示すメディア・フォーマット・モード信号を送るように構成されている。
【０００８】
従って、本開示によって、２人以上のユーザのミクストメディア通話において、各ユーザは、それらユーザの装置に用いられるメディア・フォーマットを選択することができる。例えば、ある人が、従来の電話から会議中のミクストメディア装置ユーザに音声通話を開始することができる。ミクストメディア装置ユーザは、その音声通話を受け取ることができる。あるいは、ミクストメディア装置ユーザは、音声信号を受信し、そして、テキストで応答しながら、イヤホーンでそれを聴くことができる。また、装置又は装置が用いられているシステムは、音声からテキストへの及びテキストから音声への変換を行うことができるため、ミクストメディア装置ユーザは、テキストのみを用いて通信することができる。各ユーザは、ユーザの現在の状況に最も適したフォーマットを選択することができる。また、一部の装置では１つのメディア・フォーマットしかサポートすることができない場合があるため、システムは、通信を適切なメディア・タイプに自動的に変換することができる。
【０００９】
一実施形態において、ユーザは、手動で所望のメディア・フォーマットを選択することができる。この選択は、通話の前又は通話中のいつ行ってもよい。例えば、ユーザは、所定の主要な手順をユーザの装置に行って所望のメディア・フォーマットを選択することができる。メディア・フォーマット選択が一旦行われると、装置は、メディア・フォーマット選択命令をシステムに送信して、そこで適切なメディア・フォーマット変換を行うことができる。
【００１０】
従って、装置によってサポートされたメディア・タイプに基づき、システムは、送るべき適切なメディア・フォーマットを自動的に選択することができる。例えば、携帯情報端末にかけられた電話は、自動的にテキストに変換される。また、ピーク時間帯の間、システム容量が追加の音声通話をサポートすることができない場合、新しい通話をブロックするよりもむしろ、システムは、一方又は双方の通話者が自由なミクストメディア通話を受け取るように促す。メディア・フォーマッティングを行うため、無線ユーザは、テキストを送受信することができるが、これに必要な帯域幅は、音声と比較して狭い。更に、装置をサイレント・モードにすると、音声通話をテキストに変換する要求を自動的に生成することができる。サイレント・モードが終了すると、音声通信は自動的に復旧される。
【００１１】
また、本開示は、装置とシステムとの間に用いられミクストメディア変換を実現し得る信号を提供する。１つの信号は、装置の所望のメディア・フォーマットを示すメディア・フォーマット・モード信号であればよい。この信号は、装置がフォーマット・モードを変更する度に装置からシステムに送信される。あるいは、制御信号送信の量を節約するために、システムは、登録又は通話設定の間、装置の現メディア・フォーマット選択について装置にポーリングを行うことができる。別の信号は、着呼側装置のメディア・フォーマット選択が発呼側のメディア・フォーマットと異なる場合、発呼側又は着呼側に送信し得るメディア・フォーマット折衝信号であればよい。この信号は、着呼側装置のメディア・フォーマット選択を示して発呼側にミクストメディア通話を受け取るというオプションを与えたり、メディア・フォーマットを変更して着呼側のメディア・フォーマットに一致させるというオプションを発呼側に与えたり、着呼側が発呼側のフォーマットを受け入れるように要求したり、いずれかの側に通話を終えるオプションを与えたりすることができる。追加の信号は、テキストから音声への変換の際に用いられるバックグラウンド信号であればよい。この信号は、システムによって追加され、音楽等のバックグラウンド信号を追加して、テキスト・バースト間の長い無音状態をなくし、また、通話が依然としてアクティブであることを電話ユーザに知らせることができる。
【発明を実施するための最良の形態】
【００１２】
以下に図面を参照して、本発明の好適な実施形態について説明するが、図面においては、同様な符号により同様な要素を示す。
図１は、一実施形態によるシステム１００の代表的なブロック図である。本システム１００は、ネットワーク・コントローラ１１０、ネットワーク１２０、及び１つ又は複数の通信装置１３０，１４０，及び１５０を含み得る。通信装置１３０，１４０，及び１５０は、電話、無線電話、携帯電話、携帯情報端末、コンピュータ端末、ページャー、ファックス機、留守番電話、インタラクティブ・テレビジョン、又はデータの送受信が可能な他のあらゆる装置を含み得る。
【００１３】
代表的な一実施形態において、ネットワーク・コントローラ１１０は、ネットワーク１２０に接続されている。ネットワーク・コントローラ１１０は、基地局、サービス・センタ、メディア変換センタ、又はネットワーク１２０上における他の任意の位置に配置され得る。ネットワーク１２０は、通信信号を送受信可能なあらゆるタイプのネットワークを含み得る。例えば、ネットワーク１２０は、インターネット、イントラネット、ローカル・エリア・ネットワーク（ＬＡＮ：Local Area Network）、ワイド・エリア・ネットワーク（ＷＡＮ：Wide Area Network ）、ケーブル・ネットワーク等のデータ・ネットワーク、及び他の同様な通信システムを含み得る。また、ネットワーク１２０は、ローカル電話ネットワーク、長距離電話ネットワーク、携帯電話ネットワーク、衛星通信ネットワーク、ケーブル・テレビジョン・ネットワーク等の電気通信ネットワーク、及び他の同様な通信システムを含み得る。更に、ネットワーク１２０は、複数のネットワークを含むことができ、また、複数の異なるタイプのネットワークを含み得る。従って、ネットワーク１２０は、複数のデータ・ネットワーク、複数の電気通信ネットワーク、データ及び電気通信ネットワークの組み合わせ、及び他の同様な通信システムを含み得る。
【００１４】
動作中、通信装置１３０，１４０，又は１５０のうちの１つは、受信用通信装置１３０，１４０，又は１５０との通信を試みることができる。この通信は、ネットワーク１２０及びネットワーク・コントローラ１１０経由で受信用通信装置に送信され得る。例えば、通話発信者通信装置１３０は、通話受信者通信装置１４０への通話を試みることができる。コントローラ１１０は、通話発信者１３０からの通話のフォーマットが、テキスト・フォーマット、可聴フォーマット、又は他のメディア・フォーマットであるかを判断することができる。テキスト・フォーマットは、メッセージ伝達サービス・フォーマット等であってよく、可聴フォーマットは、音声フォーマット等であってよい。そして、コントローラ１１０は、通話受信者１４０の選択条件に基づき、通話受信者１４０用の通話の選択されたフォーマットを判断することができる。例えば、コントローラ１１０は、通話受信者１４０からメディア・フォーマット・モード信号を受信した後、通話受信者１４０の所望の選択されたフォーマットを記憶することができる。コントローラ１１０は、また、通話設定中に通話受信者１４０にポーリングを行って通話受信者１４０の所望の現フォーマットを判断することができる。コントローラ１１０は、更に、特定のタイプのメディアをサポートする通話受信者通信装置機能に基づき、通話のフォーマットを判断することができる。例えば、通話受信者通信装置１４０は、テキストだけを送受信可能なページャーであってよい。コントローラ１１０は、更に、現システム容量に基づき、着信通話のフォーマットを判断することができる。例えば、ネットワーク１２０上に大きな通信容量がある場合、コントローラ１１０は、着信通話のフォーマットがテキスト・フォーマットであると判断する。これは、そのようなフォーマットが必要とするシステム資源が小さいためである。コントローラ１１０は、更に、ミクストメディア通話を受け取るオプションを与えられ受け入れる通話発信者１３０に基づき、着信通話用のフォーマットを判断することができる。コントローラ１１０は、また、通話発信者１３０のフォーマットで通話を受け取るオプションを受け入れる通話受信者１４０に基づき、着信通話用のフォーマットを判断することができる。コントローラ１１０は、更に、通話を終えるオプションを選択する通話発信者１３０又は通話受信者１４０のいずれかに基づき、着信通話用のフォーマットを判断することができる。
【００１５】
そして、コントローラ１１０は、通話発信者１３０からの通話のフォーマットが、通話受信者１４０用の通話の選択された通話フォーマットに一致しない場合、その通話のフォーマットを選択されたフォーマットに変換し得る。例えば、コントローラ１１０は、通話発信者１３０にメディア・フォーマット折衝信号を送信して、選択されたフォーマットに基づき通話のフォーマットを変更するように通話発信者１３０を促すことによって、通話のフォーマットを変換することができる。コントローラ１１０は、また、通話のフォーマットがテキスト・フォーマットであり、かつ、通話用の選択されたフォーマットが可聴フォーマットであると判断した場合、通話に対してテキストから音声への変換を行うことによって、通話のフォーマットを変換することができる。コントローラ１１０は、更に、通話のフォーマットが可聴フォーマットであり、かつ、通話用の選択されたフォーマットがテキスト・フォーマットであると判断した場合、音声からテキストへの変換を通話に行うことによって、通話のフォーマットを変換することができる。そして、コントローラ１１０は、選択されたフォーマットで通話受信者１４０に通話を送信することができる。コントローラ１１０は、また、通話発信者１３０からの通信を待つ間、通話の受信者にバックグラウンド信号を送信することができる。例えば、コントローラ１１０は、テキスト・フォーマットを用いるページャーからのテキスト入力を待つ間、可聴フォーマットを用いて、携帯電話にバックグラウンド信号を送信することができる。このバックグラウンド信号により、テキスト入力が中断している間、その通話がまだ接続されていることを通話受信者１４０に通知することができる。
【００１６】
図２は、一実施形態による通信装置１３０又は１４０等の移動又は携帯通信装置２００の代表的なブロック図である。移動通信装置２００は、筐体２１０と、筐体２１０に接続されたプロセッサ２２０と、筐体２１０及びプロセッサ２２０に接続された音声入出力回路２３０と、筐体２１０及びプロセッサ２２０に接続された表示装置２４０と、筐体２１０及びプロセッサ２２０に接続された送受信機２５０と、筐体２１０及びプロセッサ２２０に接続されたユーザ・インターフェイス２６０と、筐体２１０及びプロセッサ２２０に接続されたメモリ２７０と、筐体２１０及びプロセッサ２２０に接続された信号強度指標表示器２８０と、筐体２１０及び送受信機２５０に接続されたアンテナ２９０と、を含み得る。プロセッサ２２０は、フォーマット判断モジュール２２２及び位置条件検出モジュール２２４を含み得る。モジュール２２２及び／又は２２４は、プロセッサ２２０に接続されたハードウェア、プロセッサ２２０内に配置されたモジュール、メモリ２７０に配置されプロセッサ２２０によって実行されるソフトウェア、又は他の任意のタイプのモジュールであればよい。メモリ２７０は、ランダム・アクセス・メモリ、読み出し専用メモリ、光学メモリ、加入者識別モジュール・メモリ、又は移動通信装置に接続され得る他の任意のメモリを含み得る。表示装置２４０は、液晶表示装置（ＬＣＤ：Liquid Crystal Display）、発光ダイオード（ＬＥＤ：Light Emitting Diode）表示装置、プラズマ表示装置、又は情報を表示するための他の任意の手段であればよい。送受信機２５０は、送信機及び／又は受信機を含み得る。音声入出力回路２３０は、マイクロフォン、スピーカ、トランスデューサ、又は他の任意の音声入出力回路を含み得る。ユーザ・インターフェイス２６０は、キーパッド、ボタン、タッチ・パッド、ジョイスティック、他の表示装置、又はユーザと電子装置との間のインターフェイスを提供するために有用な他の任意の装置を含み得る。
【００１７】
動作中、プロセッサ２２０は、移動通信装置２００の機能を制御する。移動通信装置２００は、アンテナ２９０に接続された送受信機２５０を用いて、ネットワーク１２０を介して信号を送受信することができる。更に、ユーザは、ユーザ・インターフェイス２６０を用いて、移動通信装置２００との間で情報の入力及び出力を行うことができる。この情報は、また、音声入出力回路２３０を用いて入力及び出力することができ、また、表示装置２４０を用いて更に出力することができる。メモリ２７０は、プロセッサ２２０によって用いられるプログラム及びデータを記憶することができる。
【００１８】
一実施形態によれば、プロセッサ２２０及び／又はフォーマット判断モジュール２２２は、ミクストメディア通信フォーマットから着信通話用の好適なフォーマットを判断することができる。ミクストメディア通信フォーマットは、テキスト・フォーマット、可聴音声フォーマット、又は他のフォーマットを含み得る。プロセッサ２２０は、ユーザ・インターフェイス２６０上での好適なフォーマットのユーザ選択に基づき、着信通話用の好適なフォーマットを判断し、この場合、この選択は、メモリ２７０に記憶され得る。プロセッサ２２０は、また、携帯通信装置の位置条件に基づき、着信通話用の好適なフォーマットを判断することができる。これらの位置条件は、プロセッサ２２０又は位置条件検出モジュール２２４によって検出され決定され得る。例えば、プロセッサ２２０は、テキスト通信が音声通信より好ましいエリアに通信装置２００が位置することに基づき、着信通話用の好適なフォーマットはテキスト・フォーマットであると判断することができる。また、位置条件には、携帯通信装置の速度を含めることができ、また、プロセッサ２２０は、音声通信がテキスト通信よりも好ましいような速度で通信装置２００が移動していることに基づき、着信通話用の好適なフォーマットは音声フォーマットであると判断することができる。位置条件には、更に、複数の携帯通信装置が同じ場所に位置することを含めることができ、また、プロセッサ２２０は、指定したしきい値を超える複数の携帯通信装置が同じ場所に位置することに基づき、着信通話用の好適なフォーマットはテキスト・フォーマットであると判断することができる。位置条件には、更に、信号強度を含めることができる。例えば、信号強度指標表示器２８０は、ネットワーク１２０から受信された信号の強度を示すことができる。プロセッサ２２０は、信号強度指標表示器２８０に基づき、信号強度を判断することができる。信号強度指標表示器２８０は、受信信号強度指標、信号対雑音比、又は信号強度を決定するのに有用な他の任意の情報に基づき、信号強度を示すことができる。そして、プロセッサ２２０は、微弱な信号強度に基づき、着信通話用の好適なフォーマットはテキスト・フォーマットであると判断することができる。
【００１９】
プロセッサ２２０は、また、ネットワーク１２０から大きいシステム容量の示度を受信することができる。そして、プロセッサ２２０は、大きいシステム容量の示度の受信に基づき、テキスト・フォーマット通信のみを送受信するようにオプションとして携帯通信装置２００のユーザに入力を促すことができる。プロセッサ２２０が、入力を促すことに応答して、ユーザからテキスト・フォーマット選択を受信した場合、プロセッサ２２０は、そのテキスト・フォーマット選択に基づき、好適なフォーマットが着信通話用のテキスト・フォーマットであると判断することができる。プロセッサ２２０は、また、携帯通信装置２００のユーザによって選択されたサイレント・モードに基づき、着信通話用のフォーマットがテキスト・フォーマットであると判断することができる。好適なフォーマットを判断した後、プロセッサ２２０は、着信通話用の好適なフォーマットを示すメディア・フォーマット・モード信号を送信することができる。
【００２０】
従って、通信装置２００は、どのメディア・フォーマット・モードにあるか自動的に決定することができる。上述したように、このメディア・フォーマット・モードは、通信装置２００の位置に基づき得る。この位置は、ワイド・ローカル・エリア・ネットワーク基地サイトへの近接度等の従来の手段、信号方向、信号到着時間、信号強度、位置識別等のワイド・エリア無線法、全地球測位システム指標、サーバ支援による全地球測位システム手段等を用いて、判断され得る。例えば、この判定基準を用いて、音声通話が望ましくない教会、コンサート・ホール、劇場、レストラン等のエリアにおいて、通信装置２００をテキスト入力及びテキスト出力に自動的に調整することができる。
【００２１】
また、上述したように、メディア・フォーマット・モードは、通信装置２００の速度にも基づき得る。速度は、ドップラ拡散又はレベル交差レートを用いる信号特徴付け等の従来の手段、全地球測位システム手段、車両システムへのリンク、又は他の任意の有用な手段を用いて判断され得る。この判断基準は、運転者による車両内でのテキスト入力が好ましくない場合、通信装置２００を音声入力及び音声出力モードに自動的に調整するために用いられ得る。
【００２２】
更に上述したように、メディア・フォーマット・モードは、通信装置２００と同じ場所に位置する装置の数にも基づくことができる。同じ場所に位置する装置の数は、他の装置へのワイド・ローカル・エリア・ネットワーク接続等の従来の方法、現エリアの装置密度を示すシステムからの情報、又は他の任意の有用な方法を用いて判断され得る。この判断基準は、ユーザが、会議中又は公会堂において、最小数の他の装置が検出される場合、通信装置２００をテキスト入力及びテキスト出力モードにするために用いられ得る。
【００２３】
更に上述したように、メディア・フォーマット・モードは、通信装置２００において受信された信号強度にも基づくことができる。この信号強度は、受信信号強度指標、信号対雑音比等の従来の方法又は他の任意の有用な方法を用いて判断され得る。この判断基準は、微弱な信号強度条件でのテキスト入力及びテキスト出力モードに通信装置２００を自動的に調整するために用いられ得る。このことは、テキストが、より大きなインターリービング深さ及びＡＲＱ手法をサポートするため音声より堅牢であることから、有用なことがある。
【００２４】
図３は、第１実施形態によるプロセッサ２２０及び／又はモジュール２２２及び２２４の動作の概要を表す代表的なフローチャート３００である。ステップ３１０において、フローチャートが開始される。ステップ３２０において、プロセッサ２２０は、ミクストメディア通信フォーマットから着信通話用の好適なフォーマットを判断する。例えば、この判断は、通話設定の前に、通話設定時、通話中、又は通話用の好適なフォーマットを判断又は変更するために有効な他の任意の時間に行われ得る。ミクストメディア通信フォーマットは、テキスト・フォーマット及び可聴音声フォーマットを含み得る。プロセッサ２２０は、携帯通信装置２００の位置条件に基づき、着信通話用の好適なフォーマットを判断することができる。例えば、プロセッサ２２０は、テキスト通信が音声通信より好ましいエリアに携帯通信装置２００が位置することに基づき、着信通話用の好適なフォーマットはテキスト・フォーマットであると判断することができる。位置条件には、携帯通信装置２００の速度を含めることができる。この速度は、全地球測位システム技術、又は装置の動き又は速度を判断するために有用な他の任意の技術を用いて判断され得る。そして、プロセッサ２２０は、音声通信がテキスト通信よりも好ましいような速度で通信装置が移動していることに基づき、着信通話用の好適なフォーマットは音声フォーマットであると判断することができる。例えば、プロセッサ２２０は、携帯通信装置２００の検出された速度が携帯通信装置２００は自動車内にあると暗示していることから、音声フォーマットであると判断することができる。
【００２５】
位置条件には、複数の携帯通信装置が同じ場所に位置することも含めることができる。例えば、複数の携帯通信装置が同じ場所に位置することは、携帯通信装置２００が会議中のエリアにあることを示し得る。従って、プロセッサ２２０は、指定したしきい値を超える複数の携帯通信装置が同じ場所に位置することに基づき、着信通話用の好適なフォーマットはテキスト・フォーマットであると判断することができる。位置条件には、受信無線通信信号の強度等の信号強度も含めることができる。信号強度は、信号強度指標表示器２８０によって判断され得るが、この場合、信号強度指標は、受信信号強度指標及び信号対雑音比のうちの少なくとも１つを含み得る。そして、プロセッサ２２０は、微弱な信号強度に基づき、着信通話用の好適なフォーマットはテキスト・フォーマットであると判断することができる。
【００２６】
プロセッサ２２０は、ネットワーク１２０から大きいシステム容量の示度を受信する。そして、プロセッサ２２０は、大きいシステム容量の示度の受信に基づき、テキスト・フォーマット通信だけを送受信するようにオプションとして携帯通信装置２００のユーザに入力を促すことができる。この促すことに応答して、ユーザからテキスト・フォーマット選択を受信した後、プロセッサ２２０は、テキスト・フォーマット選択に基づき、着信通話用の好適なフォーマットはテキスト・フォーマットであると判断することができる。また、プロセッサ２２０は、携帯通信装置２００のユーザによって選択されたサイレント・モードに基づき、着信通話用のフォーマットはテキスト・フォーマットであると判断することができる。
【００２７】
プロセッサ２２０は、更に、ミクストメディア通話を受け取るオプションを与えられ受け入れる通話発信者に基づき、着信通話用のフォーマットを判断することができる。プロセッサ２２０は、また、通話発信者のフォーマットで通話を受け取るオプションを受け入れる通話受信者に基づき、着信通話用のフォーマットを判断することができる。プロセッサ２２０は、更に、通話を終えるオプションを選択する通話発信者又は通話受信者のいずれかに基づき、着信通話用のフォーマットを判断することができる。
【００２８】
ステップ３３０において、プロセッサ２２０は、着信通話用の好適なフォーマットを示すメディア・フォーマット・モード信号を送る。例えば、プロセッサ２２０は、メディア・フォーマット・モード信号をネットワーク・コントローラ１１０に送り、そこで、その信号は、移動通信装置２００への通話用の好適なフォーマットを判断するために用いられる。ステップ３４０において、フローチャートが終了する。
【００２９】
図４は、第２実施形態によるプロセッサ２２０の動作の概要を表す代表的なフローチャート４００である。ステップ４１０において、フローチャートが開始される。ステップ４２０において、プロセッサ２２０は、着信通話信号を受信する。例えば、プロセッサ２２０は、ネットワーク１２０から着信通話信号を受信することができる。ステップ４３０において、プロセッサ２２０は、好適な着信通話のフォーマットを判断することができる。この好適なフォーマットは、携帯通信装置２００のメモリ２７０に予め記憶しておいても、着信通話信号の受信に応答して判断してもよい。例えば、携帯通信装置２００は、好適な通信フォーマットのユーザ入力のメディア・フォーマット選択データを受け取ったり、位置条件に基づき、好適な通信フォーマット用のメディア・フォーマット選択データを記憶したり、あるいは、好適な通信フォーマット用のメディア・フォーマット選択データを取得したりすることができる。このメディア・フォーマット選択データは、メモリ２７０に記憶したり及び／又はシステム１００のコントローラ１１０に送信したりすることができる。プロセッサ２２０は、現メディア・フォーマット・モードを携帯通信装置２００の表示装置２４０に表示することができる。この表示された現メディア・フォーマット・モードは、現メディア・フォーマット入力モード及び現メディア・フォーマット出力モードを含み得る。
【００３０】
ステップ４４０において、プロセッサ２２０は、着信通話用の好適なフォーマットを示すメディア・フォーマット・モード信号を送信することができる。ステップ４５０において、フローチャートが終了する。フローチャート４００には、フローチャート３００の全ての特徴を含むことができ、また更に、着信通話信号の受信に応答して、メディア・フォーマット・モード信号の送信を行うことができる。
【００３１】
図５は、一実施形態によるネットワーク・コントローラ１１０の動作の概要を表す代表的なフローチャート５００である。ステップ５１０において、フローチャートが開始される。ステップ５２０において、ネットワーク・コントローラ１１０は、通話受信者用の通話用の好適なフォーマットを判断する。例えば、電子装置のユーザは、好適なフォーマットをネットワーク・コントローラ１１０に登録することができ、また、ネットワーク・コントローラ１１０は、好適なフォーマットを記憶することができる。ステップ５３０において、ネットワーク・コントローラ１１０は、通話発信者からの通話の通話フォーマットを判断する。ネットワーク・コントローラ１１０は、ステップ５２０及び５３０を切り換え得る。例えば、ネットワーク・コントローラ１１０は、通話発信者がかけた通話と通話のフォーマットとを最初に検出し得る。そして、ネットワーク・コントローラ１１０は、通話受信者への通話設定時又は他の初期通信時、通話受信者の好適な又は所望のフォーマットを判断することができる。ネットワーク・コントローラ１１０は、また、通話受信者の好適なフォーマットがあらゆるタイプの着信通話を許容すると判断することができる。
【００３２】
ステップ５４０において、ネットワーク・コントローラ１１０は、通話フォーマットが好適なフォーマットに一致するか否かを判断する。通話フォーマットが好適なフォーマットに一致しない場合、ステップ５５０において、ネットワーク・コントローラ１１０は、通話フォーマットを好適なフォーマットに変換する。例えば、ネットワーク・コントローラ１１０は、通話発信者に通信を行って通話フォーマットを切り換えたり、コントローラにおいて通話フォーマット変換を行ったり、あるいは、通話フォーマットが好適なフォーマットに一致しない場合、通話を拒否したりさえも可能である。ステップ５６０において、ネットワーク・コントローラ１１０は、選択されたフォーマットで通話を通話受信者に送る。ステップ５７０において、フローチャートが終了する。
【００３３】
図６は、他の実施形態によるシステム６００の代表的なブロック図である。システム６００は、メディア変換モジュール６１０、公衆交換電話網６２０、基地局６２５、装置６４０、及び装置６５０を含み得る。装置６４０は、ページャー、携帯電話、音声及びテキスト機能を備えた装置又は他の任意の通信装置であればよい。装置６５０は、電話機、又は音声通話を行い得る他の任意の通信装置であればよい。メディア変換モジュール６１０は、ネットワーク・コントローラ１１０内に配置でき、また、テキストから音声への変換モジュール６１２、音声からテキストへの変換モジュール６１４、及びフォーマット選択スイッチ６１６を含み得る。フォーマット選択スイッチ６１６は、ハードウェア・スイッチ、ソフトウェア・スイッチ、メモリに記憶された好適なメディア・フォーマット指標、又は受信装置の好適なメディア・フォーマットを示すために有用な他の任意の要素であればよい。公衆交換電話網６２０及び基地局６２５は、ネットワーク１２０内に配置され得る。
【００３４】
動作中、装置６４０は、信号を基地局６２５に送信して、音声モード又はテキスト・モードで通話を受信するか否か選択することができる。通話発信者が装置６５０を用いて音声通話を行い、また、装置６４０がテキスト・モードを選択していた場合、装置６５０から装置６４０へ送信された通信は、音声からテキストへの変換モジュール６１４を用いて、音声からテキストに変換され、装置６４０から装置６５０へ送信された通信は、テキストから音声への変換モジュール６１２を用いて、テキストから音声に変換される。従って、例えば、音声・データ・ページャー装置は、着信通話をテキスト又は音声のいずれとして受信するかを選択することができる。ページャーの選択は、基地局に伝達され、システム１００の一部に中継されて、そこでメディア変換が行われる。メディア変換は、ＶｏＩＰ及びテキスト・チャット・サービスを提供するインターネット上の第三者等の第三者サービス・プロバイダによって基地局において、又は、システム１００の任意の他の地点において行われ得る。
【００３５】
図７は、他の実施形態によるシステム７００の代表的なブロック図である。システム７００は、メディア変換モジュール７１０、基地局７２０及び７２５、装置７３０、及び装置７４０を含み得る。装置７３０及び７４０は、ページャー、携帯電話、音声及びデータ機能を備えた装置、又は他の任意の通信装置であればよい。メディア変換モジュール７１０は、ネットワーク・コントローラ１１０内に配置してよく、また、第１メディア変換モジュール７１２及び第２メディア変換モジュール７１４を含み得る。基地局７２０及び７２５は、ネットワーク１２０内に配置してよく、また、２つの装置７３０及び７４０が同じセルにある場合、同じ基地局であってよい。動作中、装置７３０及び７４０は、各々、通話又はセッションの各側用に所望の又は好適なフォーマットを選択することができる。信号は、メディア変換モジュール７１０に送信され、選択された又は所望のフォーマットを示し得る。セッションが開始され、また、メディア変換モジュール７１０が、フォーマットは不適合であると判断した場合、メディア変換モジュール７１０は、第１メディア変換モジュール７１２及び第２メディア変換モジュール７１４を用いて、装置７３０と７４０との間の通信を所望のフォーマットに変換することができる。従って、例えば、２つの無線マルチメディア装置を用い得る。各ユーザは、他のユーザによって送られた元のメディア・フォーマットを受け入れるべきか否か、あるいは、ユーザに適するようにメディア・フォーマットを変換すべきか否かを選択することができる。メディア変換を実行するための他の選択肢として、システム７００は、発呼側がそのメディア・タイプを変更して受信側のそれに一致させるように促すことができる。例えば、全接続は、専用の音声通話から双方向のテキスト・チャット・セッションに変換され得る。
【００３６】
図８は、一実施形態による表示装置２４０等の表示装置８００の代表的な図である。表示装置８００は、メディア・フォーマット・モード指標８１０を含み得る。表示装置８００は、また、テキスト表示エリア８２０、サービスタイプ指標８３０、及び時刻及び日付指標８４０を含み得る。メディア・フォーマット・モード指標８１０は、電子装置２００の現メディア・フォーマット・モードを示し得る。例えば、メディア・フォーマット・モード指標８１０は、音声入力及びテキスト出力を示し得るが、これは、システム１００が、電子装置２００に音声情報を送信し得ること、及び電子装置２００のユーザが、テキストで応答し得ることを示す。
【００３７】
図９は、異なる実施形態による異なるメディア・フォーマット・モード指標表示の代表的な図である。例えば、メディア・フォーマット・モード指標８１０は、音声入力及び音声出力９１０、音声入力及びテキスト出力９２０、テキスト入力及び音声出力９３０、及びテキスト入力及びテキスト出力９４０を示し得る。
【００３８】
本発明の方法は、好適には、プログラムされたプロセッサ上で実現される。しかしながら、ネットワーク・コントローラ１１０及び／又はプロセッサ２２０は、また、汎用又は専用コンピュータ、プログラムされたマイクロプロセッサ又はマイクロコントローラ及び周辺集積回路要素、ＡＳＩＣ又は他の集積回路、個別要素回路等のハードウェア電子回路又は論理回路、ＰＬＤ、ＰＬＡ、ＦＰＧＡ又はＰＡＬ等、プログラム可能な論理装置上で実現され得る。一般的に、図に示すフローチャートを実現可能な有限状態機械が常駐する任意の装置を用いて、本発明のプロセッサ機能を実現することができる。
【００３９】
本発明について、その特定の実施形態で説明したが、多くの他の選択肢、変形例、変更が当業者に対して明白なことは歴然としている。例えば、実施形態の様々な構成要素は、他の実施形態では、交換したり、追加したり、あるいは、置き換えたりされ得る。従って、本明細書で述べた本発明の好適な実施形態は、例示を意図しており、限定を意図するものではない。本発明の技術思想と範囲から逸脱することなく様々な変更が行われ得る。
【図面の簡単な説明】
【００４０】
【図１】一実施形態によるシステムの代表的なブロック図。
【図２】一実施形態による携帯通信装置の代表的なブロック図。
【図３】第１実施形態によるプロセッサの動作の概要を表す代表的なフローチャート。
【図４】第２実施形態によるプロセッサの動作の概要を表す代表的なフローチャート。
【図５】一実施形態によるネットワーク・コントローラの動作の概要を表す代表的なフローチャート。
【図６】他の実施形態によるシステムの代表的なブロック図。
【図７】他の実施形態によるシステムの代表的なブロック図。
【図８】一実施形態による表示の代表的な図。
【図９】異なる実施形態による異なるメディア・フォーマット・モード指標表示の代表的な図。
【図１】
2007505564.tif 000003
【図２】
2007505564.tif 000004
【図３】
2007505564.tif 000005
【図４】
2007505564.tif 000006
【図５】
2007505564.tif 000007
【図６】
2007505564.tif 000008
【図７】
2007505564.tif 000009
【図８】
2007505564.tif 000010
【図９】
2007505564.tif 000011
【手続補正書】
【提出日】平成18年5月9日(2006.5.9)
【手続補正１】
【補正対象書類名】特許請求の範囲
【補正対象項目名】全文
【補正方法】変更
【補正の内容】
【特許請求の範囲】
【請求項１】
携帯通信装置におけるミクストメディア通信フォーマットの選択方法であって、
前記携帯通信装置が、テキスト・フォーマット及び可聴音声フォーマットを含むミクストメディア通信フォーマットから着信通話用の好適なフォーマットを判断すること、
前記携帯通信装置が、前記着信通話用の前記好適なフォーマットを示すメディア・フォーマット・モード信号を送信すること、
を備える方法。
【請求項２】
請求項１に記載のミクストメディア通信フォーマットの選択方法において、前記判断することでは、前記携帯通信装置の位置条件に基づき、前記着信通話用の前記好適なフォーマットを判断する、方法。
【請求項３】
請求項２に記載のミクストメディア通信フォーマットの選択方法において、前記判断することでは、テキスト通信が音声通信より好ましいエリアに前記携帯通信装置が位置することに基づき、前記着信通話用の前記好適なフォーマットはテキスト・フォーマットであると判断する、方法。
【請求項４】
請求項２に記載のミクストメディア通信フォーマットの選択方法において、前記位置条件は、前記携帯通信装置の速度を含む、方法。
【請求項５】
請求項４に記載のミクストメディア通信フォーマットの選択方法において、前記判断することでは、音声通信がテキスト通信よりも好ましいような速度で前記通信装置が移動していることに基づき、前記着信通話用の前記好適なフォーマットは音声フォーマットであると判断する、方法。
【請求項６】
請求項２に記載のミクストメディア通信フォーマットの選択方法において、前記位置条件は、複数の携帯通信装置が同じ場所に位置することを含む、方法。
【請求項７】
請求項６に記載のミクストメディア通信フォーマットの選択方法において、前記判断することでは、指定したしきい値を超える複数の携帯通信装置が同じ場所に位置することに基づき、前記着信通話用の前記好適なフォーマットはテキスト・フォーマットであると判断する、方法。
【請求項８】
請求項２に記載のミクストメディア通信フォーマットの選択方法において、前記位置条件は信号強度を含む、方法。
【請求項９】
請求項８に記載のミクストメディア通信フォーマットの選択方法において、前記判断することでは、微弱な信号強度に基づき、前記着信通話用の前記好適なフォーマットはテキスト・フォーマットであると判断する、方法。
【請求項１０】
請求項１に記載のミクストメディア通信フォーマットの選択方法であって、更に、
大きいシステム容量の示度を受信すること、
前記大きいシステム容量の前記示度を受信することに基づき、テキスト・フォーマット通信のみを受信するようにオプションとして前記携帯通信装置のユーザに入力を促すこと、
前記促すことに応答して、前記ユーザからテキスト・フォーマット選択を受信すること、
を備え、前記判断することでは、前記テキスト・フォーマット選択に基づき、前記着信通話用の前記好適なフォーマットはテキスト・フォーマットであると判断する、方法。
【請求項１１】
請求項１に記載のミクストメディア通信フォーマットの選択方法において、前記判断することでは、前記携帯通信装置の前記ユーザによって選択されたサイレント・モードに基づき、前記着信通話用の前記フォーマットはテキスト・フォーマットであると判断する、方法。
【請求項１２】
請求項１に記載のミクストメディア通信フォーマットの選択方法において、前記判断することでは、ユーザ入力のメディア・フォーマット選択データに基づき、前記着信通話用の前記好適なフォーマットを判断する、方法。
【請求項１３】
ミクストメディア通信フォーマット選択のためのシステムであって、
ネットワークと、
前記ネットワークに接続されたコントローラであって、通話発信者からの通話のフォーマットを判断し、通話受信者の選択条件に基づき、前記通話受信者用の通話の選択されたフォーマットを判断し、前記通話発信者からの通話の前記フォーマットが、前記通話受信者用の通話の前記選択された通話フォーマットに一致しない場合は、通話の前記フォーマットを前記選択されたフォーマットに変換し、かつ、前記選択されたフォーマットで通話を前記通話受信者に送るように構成されているコントローラと、
を備えるシステム。
【請求項１４】
請求項１３に記載のミクストメディア通信フォーマット選択のためのシステムにおいて、前記コントローラは、メディア・フォーマット折衝信号を前記通話発信者に送信して、前記選択されたフォーマットに基づき、前記通話発信者に通話の前記フォーマットを変更するように促すことによって、通話の前記フォーマットを変換する、システム。
【請求項１５】
請求項１３に記載のミクストメディア通信フォーマット選択のためのシステムにおいて、前記コントローラは、更に、特定のタイプのメディアをサポートする通話受信者通信装置機能に基づき、通話の前記フォーマットを判断するように構成されている、システム。
【請求項１６】
請求項１３に記載のミクストメディア通信フォーマット選択のためのシステムにおいて、前記コントローラは、更に、現システム容量に基づき、前記着信通話用の前記フォーマットを判断するように構成されている、システム。
【請求項１７】
請求項１３に記載のミクストメディア通信フォーマット選択のためのシステムにおいて、前記コントローラは、通話の前記フォーマットがテキスト・フォーマットであり、かつ、通話の前記選択されたフォーマットが可聴フォーマットであると前記コントローラが判断した場合は、通話に対してテキストから音声への変換を行うことによって、通話の前記フォーマットを変換する、システム。
【請求項１８】
請求項１７に記載のミクストメディア通信フォーマット選択のためのシステムにおいて、前記コントローラは、更に、前記通話発信者からの通信を待つ間、通話の前記受信者にバックグラウンド信号を送るように構成されている、システム。
【請求項１９】
請求項１３に記載のミクストメディア通信フォーマット選択のためのシステムにおいて、前記コントローラは、通話の前記フォーマットが可聴フォーマットであり、かつ、通話の前記選択されたフォーマットがテキスト・フォーマットであると前記コントローラが判断した場合は、通話に対して音声からテキストへの変換を行うことによって、通話の前記フォーマットを変換する、システム。
【請求項２０】
請求項１３に記載のミクストメディア通信フォーマット選択のためのシステムにおいて、前記コントローラは、前記受信者に対して前記通話発信者の前記通話フォーマットを受け入れるように要求することによって、前記通話受信者の選択条件に基づき、前記通話受信者用の通話の選択されたフォーマットを判断する、システム。
【請求項２１】
請求項１３に記載のミクストメディア通信フォーマット選択のためのシステムにおいて、前記コントローラは、前記発信者に対してミクストメディア通話フォーマットを受け入れるように要求することによって、前記通話受信者の選択条件に基づき、前記通話受信者用の通話の選択されたフォーマットを判断する、システム。
【請求項２２】
請求項１３に記載のミクストメディア通信フォーマット選択のためのシステムにおいて、前記コントローラは、更に、前記通話発信者からの通話の前記フォーマットが、前記通話受信者用の通話の前記選択された通話フォーマットに一致しない場合は、前記通話発信者及び前記通話受信者のうちの一方が通話を終了するように促すように構成されている、システム。
【国際調査報告】
2007505564.tif 000012